(57)【特許請求の範囲】
【請求項１】
電極端子を有し、隣り合って配置される複数の蓄電素子と、
前記複数の蓄電素子の配列方向に延び、前記複数の蓄電素子を電気的に接続するためのバスバーと、を有し、
前記電極端子は、前記バスバーが挿入され、前記配列方向に延びる開口部を有し、
基端部が前記電極端子を貫通した状態で固定され、先端部が前記開口部の内側に突出し、前記開口部に前記バスバーが挿入された状態において、前記バスバーを前記開口部の一部に接触させる方向に変位させ、前記バスバーを前記開口部に押し付ける締結部材を有することを特徴とする蓄電ユニット。
【請求項２】
電極端子を有し、隣り合って配置される複数の蓄電素子と、
前記複数の蓄電素子の配列方向に延び、前記複数の蓄電素子を電気的に接続するためのバスバーと、を有し、
前記電極端子は、前記バスバーが挿入され、前記配列方向に延びる開口部を有し、
基端部が前記電極端子を貫通し、先端部が前記開口部の内側に突出し、前記開口部に前記バスバーが挿入された状態において、前記バスバーに形成されたネジ溝と係合し、前記バスバーを前記開口部の一部に接触させる方向に変位させる締結部材を有することを特徴とする蓄電ユニット。
【請求項３】
電極端子を有し、隣り合って配置される複数の蓄電素子と、
前記複数の蓄電素子の配列方向に延び、前記複数の蓄電素子を電気的に接続するためのバスバーと、を有し、
前記電極端子は、前記バスバーが挿入され、前記配列方向に延びる開口部を有し、
前記開口部に前記バスバーが挿入された状態において、前記バスバーとともに前記開口部に挿入され、前記バスバーを前記開口部の一部に接触させる方向に変位させるくさび部材を有することを特徴とする蓄電ユニット。
【請求項４】
前記バスバーの端部は、前記くさび部材の外形に沿って形成された傾斜面を有することを特徴とする請求項３に記載の蓄電ユニット。
【請求項５】
電極端子を有し、隣り合って配置される複数の蓄電素子と、
前記複数の蓄電素子の配列方向に延び、前記複数の蓄電素子を電気的に接続するためのバスバーと、を有し、
前記電極端子は、前記バスバーが挿入され、前記配列方向に延びる開口部を有し、
前記開口部に前記バスバーが挿入された状態において、前記バスバーを前記開口部の一部に接触させる方向に変位させる変位部材を有し、
前記開口部は、前記バスバーを変位させる方向に向かって間隔が狭くなるテーパ面を有し、
前記バスバーは、前記テーパ面に沿った形状に形成されていることを特徴とする蓄電ユニット。
【請求項６】
前記開口部は、前記バスバーを変位させる方向に向かって間隔が狭くなるテーパ面を有し、
前記バスバーは、前記テーパ面に沿った形状に形成されていることを特徴とする請求項１から４のいずれか１つに記載の蓄電ユニット。
【請求項７】
前記開口部は、複数の方向に延びていることを特徴とする請求項１から６のいずれか１つに記載の蓄電ユニット。
【請求項８】
前記開口部は、互いに直交する２つの方向に延びていることを特徴とする請求項７に記載の蓄電ユニット。
【請求項９】
前記開口部は、前記電極端子を貫通していることを特徴とする請求項１から８のいずれか１つに記載の蓄電ユニット。
【発明の詳細な説明】
【技術分野】
【０００１】
本発明は、少なくとも２つの蓄電素子が電気的に接続された蓄電ユニットに関するものである。
【背景技術】
【０００２】
組電池では、複数の単電池が電気的に直列に接続されて構成されており、所定の電圧値が得られるようになっている。ここで、電気的に直列に接続される２つの単電池において、一方の単電池の正極端子は、他方の単電池の負極端子とバスバーを介して接続されている（例えば、特許文献１，２参照）。具体的には、正極端子（又は負極端子）の外面に、板状のバスバーを接触させておき、ボルトを用いて、正極端子およびバスバーを固定している。
【先行技術文献】
【特許文献】
【０００３】
【特許文献１】特開２００８−０９８０１２号公報
【特許文献２】特開２００９−００４２７７号公報
【発明の概要】
【発明が解決しようとする課題】
【０００４】
本発明は、特許文献１，２に記載の構造とは異なる構造であって、バスバーを蓄電素子の電極端子（正極端子や負極端子）に接続することができる構造を備えた蓄電ユニットを提供するものである。
【課題を解決するための手段】
【０００５】
本発明である蓄電ユニットは、電極端子を有し、隣り合って配置される複数の蓄電素子と、複数の蓄電素子の配列方向に延び、複数の蓄電素子を電気的に接続するためのバスバーと、を有する。そして、電極端子は、バスバーが挿入される開口部を有しており、開口部は、複数の蓄電素子の配列方向に延びている。
【０００６】
ここで、開口部にバスバーが挿入された状態において、バスバーを開口部の一部に接触させる方向に変位させる変位部材を設けることができる。これにより、バスバーを電極端子（開口部）に密接させることができる。
【０００７】
変位部材としては、締結部材を用いることができる。具体的には、締結部材の基端部が電極端子を貫通した状態で固定し、締結部材の先端部を開口部の内側に突出させることができる。そして、締結部材の先端部によってバスバーを押し付けて、バスバーを開口部に密接させることができる。
【０００８】
また、締結部材の基端部が電極端子を貫通し、締結部材の先端部を開口部の内側に突出させることができる。そして、バスバーにネジ溝を形成しておき、締結部材の先端部をネジ溝に係合させることができる。締結部材の基端部とバスバーとの間隔が狭くなるように、締結部材およびネジ溝を係合させれば、バスバーを開口部に密接させることができる。
【０００９】
さらに、変位部材として、バスバーとともに開口部に挿入されるくさび部材を用いることができる。くさび部材を開口部に挿入することにより、くさび部材が挿入された側とは反対側にバスバーを変位させることができ、バスバーを開口部に密接させることができる。ここで、バスバーの端部に対して、くさび部材の外形に沿って形成された傾斜面を設けておくことが好ましい。これにより、くさび部材を開口部に対して容易に挿入することができる。
【００１０】
電極端子の開口部には、バスバーを変位させる方向に向かって間隔が狭くなるテーパ面を設けることができる。そして、バスバーは、テーパ面に沿った形状に形成することができる。これにより、バスバーを電極端子に対して位置決めすることができるとともに、電極端子およびバスバーの接触領域（導通領域）を増加させることができる。
【００１１】
また、電極端子に対して、複数の方向、例えば、互いに直交する２つの方向に延びる開口部を設けることができる。これにより、電極端子に対して、異なる方向からバスバーを接続することができ、蓄電素子の配置に応じて、２つの開口部を使い分けることができる。なお、開口部としては、電極端子を貫通した貫通孔を用いることができる。
【発明の効果】
【００１２】
本発明によれば、バスバーを電極端子の開口部に挿入するだけで、バスバーおよび電極端子を電気的に接続させることができる。また、変位部材を用いれば、バスバーを開口部に密接させることができ、バスバーおよび電極端子の間の導電性を向上させることができる。
【図面の簡単な説明】
【００１３】
【図１Ａ】本発明の実施例１における単電池の正面図である。
【図１Ｂ】実施例１における単電池の上面図である。
【図１Ｃ】実施例１における単電池の側面図である。
【図２Ａ】実施例１におけるバスバーの正面図である。
【図２Ｂ】実施例１におけるバスバーの上面図である。
【図２Ｃ】実施例１におけるバスバーの端面図である。
【図３Ａ】実施例１において、２つの単電池の接続状態を示す図である。
【図３Ｂ】実施例１において、正極端子およびバスバーの接続状態を示す図である。
【図４Ａ】実施例２において、２つの単電池の接続状態を示す図である。
【図４Ｂ】実施例２において、正極端子およびバスバーの接続状態を示す図である。
【図５Ａ】本発明の実施例３におけるバスバーの正面図である。
【図５Ｂ】実施例３におけるバスバーの上面図である。
【図５Ｃ】実施例３におけるバスバーの端面図である。
【図６Ａ】実施例３において、２つの単電池の接続状態を示す図である。
【図６Ｂ】実施例３において、正極端子およびバスバーの接続状態を示す図である。
【図７Ａ】本発明の実施例４における正極端子の上面図である。
【図７Ｂ】実施例４における正極端子の正面図である。
【図７Ｃ】実施例４における正極端子の側面図である。
【図８Ａ】実施例４の変形例における正極端子の上面図である。
【図８Ｂ】実施例４の変形例における正極端子の正面図である。
【図８Ｃ】実施例４の変形例における正極端子の側面図である。
【図９】２つの単電池の配置状態を示す上面図である。
【図１０】２つの単電池の他の配置状態を示す上面図である。
【発明を実施するための形態】
【００１４】
以下、本発明の実施例について説明する。
【実施例１】
【００１５】
本発明の実施例１における単電池の構成について、図１Ａ〜図１Ｃを用いて説明する。図１Ａは、単電池の正面図である。図１Ｂは、図１Ａに示す矢印Ａ１の方向から見たときの単電池の上面図である、図１Ｃは、図１Ａに示す矢印Ａ２の方向から見たときの単電池の側面図である。
【００１６】
単電池（蓄電素子）１は、電池ケース１０および発電要素１１を有しており、発電要素１１は、電池ケース１０内に収容されている。単電池１としては、ニッケル水素電池やリチウムイオン電池といった二次電池を用いることができる。なお、二次電池の代わりに、電気二重層キャパシタ（蓄電素子）を用いることもできる。
【００１７】
電池ケース１０は、上面１０ａと、底面１０ｂと、２つの第１側面１０ｃと、２つの第２側面１０ｄとを有している。第１側面１０ｃは、上面１０ａおよび底面１０ｂと直交する面であって、後述する正極端子（電極端子）１２および負極端子（電極端子）１３の並ぶ方向（図１Ｂの左右方向）と直交する面である。第２側面１０ｄは、上面１０ａおよび底面１０ｂと直交する面であって、正極端子１２および負極端子１３の並ぶ方向と平行な面である。
【００１８】
発電要素１１は、充放電を行うことができる要素であり、具体的には、正極素子と、負極素子と、正極素子および負極素子の間に配置されるセパレータ（電解液を含む）とを有している。正極素子は、集電板の表面に、正極活物質を含む正極層を形成したものであり、負極素子は、集電板の表面に、負極活物質を含む負極層を形成したものである。
【００１９】
電池ケース１０の上面１０ａには、正極端子１２および負極端子１３が設けられており、正極端子１２は、発電要素１１の正極素子と電気的に接続され、負極端子１３は、発電要素１１の負極素子と電気的に接続されている。例えば、発電要素１１の正極素子にタブ（正極タブ）を設けておき、正極タブを正極端子１２に接続することができる。発電要素１１の負極素子および負極端子１３の接続についても同様である。
【００２０】
正極端子１２は、一方向に延びる第１貫通孔１２ａと、第１貫通孔１２ａと直交する方向に延びる第２貫通孔１２ｂとを有している。第１貫通孔１２ａは、正極端子１２および負極端子１３の並ぶ方向に延びており、正極端子１２を貫通している。また、第１貫通孔１２ａは、図１Ｃに示すように、互いに向かい合うテーパ面１２ａ１を有しており、２つのテーパ面１２ａ１の間隔は、単電池１の上方に向かうにつれて狭くなっている。
【００２１】
第１貫通孔１２ａには、第２貫通孔１２ｂが接続されており、第２貫通孔１２ｂは、単電池１の上下方向に延びている。すなわち、第２貫通孔１２ｂは、一端が正極端子１２の上面に位置しており、他端が第１貫通孔１２ａと接続されている。また、第２貫通孔１２ｂは、図１Ｂに示すように、長手方向（単電池１の上下方向）と直交する断面が円形に形成されている。
【００２２】
負極端子１３は、正極端子１２と同様の構造を有しており、第１貫通孔１３ａおよび第２貫通孔１３ｂを有している。第１貫通孔１３ａは、第１貫通孔１２ａに対応し、第２貫通孔１３ｂは、第２貫通孔１２ｂに対応している。第１貫通孔１２ａ，１３ａは、正極端子１２および負極端子１３が並ぶ方向に延びており、図１Ａの矢印Ａ２方向から見たときに、互いに重なるように配置されている。
【００２３】
第１貫通孔１２ａ，１３ａには、図２Ａ〜図２Ｃに示すバスバー２０が挿入される。図２Ａは、バスバー２０の側面図である。図２Ｂは、図２Ａに示す矢印Ａ３の方向から見たときのバスバー２０の上面図である。図２Ｃは、図２Ａに示す矢印Ａ４の方向から見たときのバスバー２０の端面図である。
【００２４】
バスバー２０は、一方向に延びており、バスバー２０の上面２１には、２つの溝部２２が形成されている。２つの溝部２２は、バスバー２０の両端側に設けられているが、具体的な溝部２２の位置は適宜設定することができる。溝部２２の壁面には、ネジ部が形成されており、後述するボルト３０のネジ部と噛み合うようになっている。
【００２５】
バスバー２０の上面２１における幅Ｗ１は、バスバー２０の下面２３における幅Ｗ２よりも狭くなっている。そして、バスバー２０の側面２４は、上面２１および下面２３に対して傾斜している。ここで、バスバー２０の側面（傾斜面）２４は、第１貫通孔１２ａ（１３ａ）の一部を構成するテーパ面１２ａ１に沿うように形成されている。
【００２６】
図３Ａおよび図３Ｂには、２つの単電池１をバスバー２０によって接続した構造を示している。図３Ａに示すように、２つの単電池１は、図３Ａの左右方向において並んで配置されており、電池ケース１０の第１側面１０ｃが互いに向かい合っている。なお、図３Ｂは、図３Ａに示す矢印Ａ５の方向から見たときの単電池１およびバスバー２０の接続構造を示す図である。
【００２７】
バスバー２０の一端側は、一方の単電池１における正極端子１２の第１貫通孔１２ａに挿入されており、バスバー２０の他端側は、他方の単電池１における負極端子１３の第１貫通孔１３ａに挿入されている。また、バスバー２０における一方の溝部２２は、単電池１の上方から見たときに、正極端子１２の第２貫通孔１２ｂと略重なるようになっており、第２貫通孔１２ｂおよび溝部２２には、ボルト３０が挿入されている。
【００２８】
また、バスバー２０における他方の溝部２２は、単電池１の上方から見たときに、負極端子１３の第２貫通孔１３ｂと略重なるようになっており、第２貫通孔１３ｂおよび溝部２２には、ボルト３０が挿入されている。
【００２９】
ボルト３０のネジ部３１のうち、基端部側は、第２貫通孔１２ｂ，１３ｂを貫通しており、先端部側は、バスバー２０の溝部２２に挿入されている。ネジ部３１の先端は、溝部２２のネジ部と噛み合っている。これにより、バスバー２０の両端側を、正極端子１２や負極端子１３にそれぞれ固定することができる。
【００３０】
ここで、ネジ部３１の先端が溝部２２の底部に近づくように、ネジ部３１を溝部２２と係合させると、バスバー２０を矢印Ｆ１で示す方向に変位させることができる。これにより、図３Ｂに示すように、バスバー２０における一対の側面２４を、第１貫通孔１２ａ，１３ａのテーパ面１２ａ１に密接させることができる。ここで、バスバー２０の側面２４は、テーパ面１２ａ１に沿った形状に形成されているため、側面２４の全体をテーパ面１２ａ１に接触させることができる。これにより、２つの単電池１は、バスバー２０を介して、電気的に接続されることになる。
【００３１】
本実施例では、バスバー２０の両端を第１貫通孔１２ａ，１３ａにそれぞれ挿入しておき、第２貫通孔１２ｂ，１３ｂにボルト３０を挿入するだけで、バスバー２０を正極端子１２および負極端子１３に固定することができる。ここで、ボルト３０は、正極端子１２および負極端子１３に対して、単電池１の上方から取り付けることができるため、バスバー２０の固定作業を容易に行うことができる。
【００３２】
また、本実施例では、第１貫通孔１２ａ，１３ａにバスバー２０を接触（挿入）させているため、バスバー２０および第１貫通孔１２ａ，１３ａの接触面に対して、埃等を付着させにくくすることができる。すなわち、バスバー２０および第１貫通孔１２ａ，１３ａの接触面は、正極端子１２や負極端子１３によって覆われているため、埃等が付着しにくくなる。
【００３３】
なお、本実施例では、バスバー２０を用いて、２つの単電池１を電気的に接続する場合について説明したが、これに限るものではない。例えば、複数の単電池１を用いて、１つの電池モジュールを構成しておき、２つの電池モジュールを電気的に接続する場合においても、本実施例を適用することができる。この場合には、電池モジュールの正極端子および負極端子を、本実施例で説明した正極端子１２および負極端子１３と同様の構造にすればよい。
【００３４】
また、本実施例では、第１貫通孔１２ａが正極端子１２を貫通しているが、貫通していなくてもよい。すなわち、正極端子１２には、バスバー２０の端部が挿入される部分（開口部）が形成されていればよく、例えば、貫通孔の一端が塞がれていてもよい。負極端子１３の第１貫通孔１３ａについても同様である。さらに、本実施例では、バスバー２０に溝部２２を形成しているが、バスバー２０を貫通した貫通孔を形成することもできる。この場合には、貫通孔に対して、ボルト３０のネジ部３１と噛み合うネジ部を形成しておけばよい。
【００３５】
さらに、本実施例では、バスバー２０の側面２４を第１貫通孔１２ａ，１３ａのテーパ面１２ａ１に接触させているが、これに限るものではない。すなわち、図３Ａおよび図３Ｂに示す矢印Ｆ１方向の力を用いて、バスバー２０を第１貫通孔１２ａ，１３ａの一部に接触させればよい。具体的には、バスバー２０の上面２１を、第１貫通孔１２ａ，１３ａの上面に接触させることができる。
【００３６】
ここで、本実施例では、第１貫通孔１２ａ，１３ａおよびバスバー２０の間に隙間が生じるように、第１貫通孔１２ａ，１３ａをバスバー２０よりも大きくしている。これにより、第１貫通孔１２ａ，１３ａに対してバスバー２０を容易に挿入することができる。
【００３７】
また、本実施例では、バスバー２０の側面２４を傾斜面としているが、これに限るものではない。例えば、側面２４を階段状に形成することもできる。この場合には、バスバー２０の幅（幅Ｗ１，Ｗ２に相当する幅）は、上面２１から下面２３に向かって段階的に変化することになる。また、第１貫通孔１２ａ，１３ａは、バスバー２０の外形に沿った形状に形成しておけばよい。
【００３８】
さらに、本実施例では、いわゆる角型の単電池１を用いた場合について説明したが、これに限るものではない。すなわち、いわゆる円筒型の単電池であっても、本発明を適用することができる。円筒型の単電池とは、単電池の長手方向と直交する断面における形状が円形に形成されており、単電池の両端部又は一端部において、電力を取り出したり取り込んだりするための電極端子（正極端子および負極端子）が設けられたものである。
【実施例２】
【００３９】
本発明の実施例２である単電池の接続構造について説明する。ここで、実施例１で説明した部材と同一の機能を有する部材については、同一符号を用い、詳細な説明は省略する。以下、実施例１と異なる点について、主に説明する。
【００４０】
実施例１では、バスバー２０における上面２１の幅Ｗ１を、下面２３の幅Ｗ２よりも狭くしているが、逆の構成であってもよい。すなわち、上面２１の幅Ｗ１を下面２３の幅Ｗ２よりも広くすることができる。この場合において、バスバー２０が挿入される第１貫通孔１２ａ，１３ａは、バスバー２０の形状に沿った形状に形成すればよい。この構造について、図４Ａおよび図４Ｂを用いて説明する。
【００４１】
図４Ａは、２つの単電池１の接続構造を示す図であり、図４Ｂは、図４Ａに示す矢印Ａ６の方向から見たときの単電池１の接続構造を示す図である。図４Ａおよび図４Ｂに示す構造において、バスバー２０には、実施例１で説明した溝部２２が形成されていない。すなわち、バスバー２０の上面２１は、平坦な面で構成されている。また、正極端子１２の第２貫通孔１２ｂや負極端子１３の第２貫通孔１３ｂには、ボルト３０のネジ部３１と噛み合うネジ部が形成されている。
【００４２】
バスバー２０の両端は、正極端子１２の第１貫通孔１２ａや負極端子１３の第１貫通孔１３ａに挿入されており、バスバー２０の上面２１には、ボルト３０の先端が接触している。正極端子１２の第２貫通孔１２ｂにボルト３０のネジ部３１を挿入すれば、第１貫通孔１２ａの内側に、ネジ部３１の先端を突出させることができる。負極端子１３についても同様であり、第１貫通孔１３ａの内側にネジ部３１の先端を突出させることができる。これにより、ネジ部３１の先端が、バスバー２０の上面２１に接触することになる。
【００４３】
本実施例では、ネジ部３１の先端を第１貫通孔１２ａの内側に突出させることにより、バスバー２０を矢印Ｆ２で示す方向に変位させることができる。言い換えれば、ボルト３０によってバスバー２０を下方向に押し付けることができる。これにより、バスバー２０の側面２４を第１貫通孔１２ａ，１３ａのテーパ面に密接させることができる。ここで、ボルト３０のネジ部３１は、第２貫通孔１２ｂ，１３ｂのネジ部と噛み合っているため、バスバー２０はボルト３０によって下方向に押し付けられたままの状態となる。
【００４４】
本実施例によれば、バスバー２０を正極端子１２（第１貫通孔１２ａ）や負極端子１３（第１貫通孔１３ａ）に対して確実に接触させておくことができる。また、ボルト３０によってバスバー２０を押し付けるだけであるため、バスバー２０のうち、第１貫通孔１２ａ，１３ａに挿入される部分を変更することができる。これにより、バスバー２０の長手方向において、２つの単電池１に対するバスバー２０の接続位置を調節することができる。
【００４５】
ここで、図４Ａおよび図４Ｂに示す構造では、バスバー２０の側面（傾斜面）２４を、第１貫通孔１２ａ，１３ａのテーパ面に密接させているが、これに限るものではない。すなわち、バスバー２０の一部を第１貫通孔１２ａ，１３ａの一部に密接させることができればよい。具体的には、バスバー２０の下面２３を、第１貫通孔１２ａ，１３ａの底面に密接させることができる。
【００４６】
また、図４Ａおよび図４Ｂに示す構造では、ボルト３０がバスバー２０の上面２１を下方に向かって押し付けているが、これに限るものではない。例えば、ボルト３０によって、バスバー２０の側面を押し付けるようにすることもできる。例えば、正極端子１２のうち、バスバー２０の側面２４と対向する部分に、貫通孔を形成しておき、この貫通孔にボルト３０のネジ部を挿入させればよい。
【実施例３】
【００４７】
本発明の実施例３である単電池の接続構造について説明する。ここで、実施例１で説明した部材と同一の機能を有する部材については、同一符号を用い、詳細な説明は省略する。以下、実施例１と異なる点について、主に説明する。
【００４８】
本実施例では、実施例１に対して、バスバー２０の形状を異ならせている。図５Ａは、本実施例におけるバスバー２０の側面図である。図５Ｂは、図５Ａに示す矢印Ａ７の方向から見たときのバスバー２０の上面図であり、図５Ｃは、図５Ａに示す矢印Ａ８の方向から見たときのバスバー２０の端面図である。
【００４９】
実施例１では、バスバー２０の上面２１に溝部２２を設けているが、本実施例では、溝部２２を省略している。また、本実施例のバスバー２０は、下面２３において、長手方向（図５Ａの左右方向）における両端部に傾斜面２３ａを設けている。バスバー２０のうち、傾斜面２３ａが形成されていない領域は、高さＨ１に設定されており、傾斜面２３ａが形成されている領域では、バスバー２０の高さが連続的に変化している。そして、バスバー２０の長手方向における両端は、最も小さい高さＨ２に設定されている。
【００５０】
図６Ａおよび図６Ｂに示すように、バスバー２０の両端部は、正極端子１２の第１貫通孔１２ａおよび負極端子１３の第１貫通孔１３ａに挿入される。ここで、図６Ａは、本実施例における２つの単電池１の接続構造を示す正面図であり、図６Ｂは、図６Ａの矢印Ａ９の方向から見たときの図である。
【００５１】
第１貫通孔１２ａ，１３ａには、くさび部材４０も挿入されている。くさび部材４０は、バスバー２０の傾斜面２３ａに沿った形状に形成された傾斜面４１を有しており、くさび部材４０を第１貫通孔１２ａ，１３ａに挿入すると、バスバー２０を矢印Ｆ３の方向（単電池１の上方）に変位させることができる。
【００５２】
これにより、バスバー２０の側面（傾斜面）２４を、第１貫通孔１２ａ，１３ａのテーパ面に密接させることができる。このようにバスバー２０を第１貫通孔１２ａ，１３ａに接触させることにより、バスバー２０および正極端子１２（又は負極端子１３）の導通を確保するための接触圧を発生させることができる。
【００５３】
なお、本実施例では、バスバー２０の下面２３にくさび部材４０を配置しているが、これに限るものではない。すなわち、第１貫通孔１２ａ，１３ａに対して、バスバー２０とともにくさび部材を挿入して、第１貫通孔１２ａ，１３ａ内においてバスバー２０を一方向に変位させることができればよい。
【００５４】
例えば、バスバー２０の上面２１にくさび部材を配置して、バスバー２０を下方に向かって変位させたり、バスバー２０の側面にくさび部材を配置して、バスバー２０を水平方向（図６Ｂの左右方向に相当する）に向かって変位させたりすることができる。この場合には、バスバー２０のうち、くさび部材と接触する領域に対して、本実施例で説明した傾斜面２３ａと同様の傾斜面を設ければよい。
【実施例４】
【００５５】
本発明の実施例４である単電池の接続構造について説明する。ここで、実施例１で説明した部材と同一の機能を有する部材については、同一符号を用い、詳細な説明は省略する。以下、実施例１と異なる点について、主に説明する。
【００５６】
本実施例では、図７Ａ〜図７Ｃに示すように、正極端子１２に対して、実施例１で説明した第１貫通孔１２ａに加えて、第３貫通孔１２ｃを設けている。ここで、図７Ａは、単電池１のうち、正極端子１２を含む部分の上面図であり、図７Ｂは、図７Ａの矢印Ａ１０の方向から見たときの側面図であり、図７Ｃは、図７Ａの矢印Ａ１１の方向から見たときの側面図である。
【００５７】
第１貫通孔１２ａおよび第３貫通孔１２ｃは、第２貫通孔１２ｂと直交する面（図７Ａの紙面）内において、互いに直交する方向に延びている。第３貫通孔１２ｃの断面形状は、第１貫通孔１２ａの断面形状と略等しくなっている。そして、第３貫通孔１２ｃは、互いに向かい合うテーパ面１２ｃ１を有しており、テーパ面１２ｃ１の間隔は、単電池１の上方に向かって狭くなっている。
【００５８】
図７Ａ〜図７Ｃでは、本実施例における正極端子１２の構造を示しているが、負極端子１３の構造も正極端子１２と同様である。
【００５９】
本実施例においても、実施例１と同様に、第２貫通孔１２ｂにボルト３０を挿入し、ネジ部３１の先端をバスバー２０の溝部２２に係合させることができる。ここで、バスバー２０は、第１貫通孔１２ａだけでなく、第３貫通孔１２ｃにも挿入することができる。すなわち、正極端子１２に対して異なる方向からバスバー２０を取り付けることができる。
【００６０】
本実施例でも、実施例１と同様に、バスバー２０を正極端子１２に対して上方（図３Ａおよび図３Ｂに示す矢印Ｆ１方向）に変位させることができ、バスバー２０の側面（傾斜面）２４を第１貫通孔１２ａのテーパ面や第３貫通孔１２ｃのテーパ面に密接させることができる。
【００６１】
なお、本実施例では、正極端子１２に対して、実施例１で説明した第１貫通孔１２ａと、この第１貫通孔１２ａに対応した第３貫通孔１２ｃとを形成しているが、これに限るものではない。具体的には、実施例２（図４Ａおよび図４Ｂ参照）で説明した第１貫通孔１２ａと、この第１貫通孔１２ａに対応した第３貫通孔とを正極端子１２に形成することができる。この場合であっても、第１貫通孔１２ａおよび第３貫通孔は、互いに直交するように形成すればよい。
【００６２】
一方、図８Ａ〜図８Ｃに示すように、実施例３（図６Ａおよび図６Ｂ）で説明した第１貫通孔１２ａと、この第１貫通孔１２ａと直交する第３貫通孔１２ｃとを、正極端子１２に設けることができる。図８Ａは、本実施例の変形例における単電池１のうち、正極端子１２を含む部分の上面図であり、図８Ｂは、図８Ａの矢印Ａ１２の方向から見たときの側面図であり、図８Ｃは、図８Ａの矢印Ａ１３の方向から見たときの側面図である。
【００６３】
図８Ａ〜図８Ｃに示す構成では、実施例３で説明したように、第１貫通孔１２ａにバスバー２０およびくさび部材４０を挿入することにより、バスバー２０を第１貫通孔１２ａに密接させることができる。また、本実施例では、第１貫通孔１２ａと同様の形状を有する第３貫通孔１２ｃを、第１貫通孔１２ａと直交するように設けている。これにより、正極端子１２に対して、互いに異なる方向からバスバー２０を取り付けることができる。
【００６４】
本実施例で説明した正極端子１２および負極端子１３を用いれば、図９に示すように並んで配置された２つの単電池１０をバスバー２０によって電気的に接続することもできるし、図１０に示すように並んで配置された２つの単電池１をバスバー２０によって電気的に接続することもできる。
【００６５】
図９では、各単電池１の第１側面１０ｃが互いに向かい合うように２つの単電池１が並んで配置されている。図１０では、各単電池１の第２側面１０ｄが互いに向かい合うように２つの単電池１が並んで配置されている。
【００６６】
本実施例で説明した単電池１を用意しておけば、複数の単電池１の配列方向を変えても、この配列方向に応じた方向にバスバー２０を配置して、単電池１を電気的に接続することができる。
【００６７】
上述した実施例１〜４では、バスバー２０を貫通孔１２ａ，１３ａに押し付けるための部材（ボルト３０やくさび４０）を用いているが、この部材を省略することもできる。すなわち、バスバー２０を貫通孔１２ａ，１３ａに挿入させるだけの構造であってもよい。この場合には、バスバー２０を貫通孔１２ａ，１３ａに挿入した後に、接着剤等を用いたり、溶接等を行ったりすることにより、バスバー２０を電極端子１２，１３に固定することができる。
【符号の説明】
【００６８】
１：単電池（蓄電素子）                      １０：電池ケース
１０ａ：上面                                １０ｂ：底面
１０ｃ：第１側面                            １０ｄ：第２側面
１１：発電要素                              １２：正極端子（電極端子）
１２ａ：第１貫通孔                          １２ａ１：テーパ面
１２ｂ：第２貫通孔                          １２ｃ：第３貫通孔
１３：負極端子（電極端子）                  １３ａ：第１貫通孔
１３ｂ：第２貫通孔                          ２０：バスバー
２１：上面                                  ２２：溝部
２３：下面                                  ２３ａ：傾斜面
２４：側面                                  ３０：ボルト（締結部材）
３１：ネジ部
【図１Ａ】
0005458908.tif 000002
【図１Ｂ】
0005458908.tif 000003
【図１Ｃ】
0005458908.tif 000004
【図２Ａ】
0005458908.tif 000005
【図２Ｂ】
0005458908.tif 000006
【図２Ｃ】
0005458908.tif 000007
【図３Ａ】
0005458908.tif 000008
【図３Ｂ】
0005458908.tif 000009
【図４Ａ】
0005458908.tif 000010
【図４Ｂ】
0005458908.tif 000011
【図５Ａ】
0005458908.tif 000012
【図５Ｂ】
0005458908.tif 000013
【図５Ｃ】
0005458908.tif 000014
【図６Ａ】
0005458908.tif 000015
【図６Ｂ】
0005458908.tif 000016
【図７Ａ】
0005458908.tif 000017
【図７Ｂ】
0005458908.tif 000018
【図７Ｃ】
0005458908.tif 000019
【図８Ａ】
0005458908.tif 000020
【図８Ｂ】
0005458908.tif 000021
【図８Ｃ】
0005458908.tif 000022
【図９】
0005458908.tif 000023
【図１０】
0005458908.tif 000024